(57)【特許請求の範囲】
【請求項１】
水道水の給水を受けるノズル取付基体と、
このノズル取付基体の中央部から突設されて水を噴出する中央ノズル筒体と、
中央ノズル筒体の周囲においてノズル取付基体から突設されて水を噴出する複数の周囲ノズル筒体とを具備し、
中央ノズル筒体および周囲ノズル筒体は、側面に穿設されて外部の空気を内部に吸込む空気吸込孔を備え、
中央ノズル筒体および各周囲ノズル筒体には、給水側の孔より大径の噴出孔が先端側に形成され、
中央ノズル筒体および各周囲ノズル筒体の各空気吸込孔は、大径の噴出孔のうち、給水側の孔に近接する位置に開口され、
中央ノズル筒体および各周囲ノズル筒体の大径の噴出孔は、全長にわたって同径のまま真っ直ぐに外部に開放され、
中央ノズル筒体の噴出孔は、周囲ノズル筒体の噴出孔より大口径に形成された
ことを特徴とする消火用ノズル装置。
【請求項２】
ノズル取付基体は、少なくとも中央ノズル筒体側から給水側に向かって拡開状のテーパ穴を備えた
ことを特徴とする請求項１記載の消火用ノズル装置。
【請求項３】
周囲ノズル筒体は、先端に向かって中央ノズル筒体から離反する方向に傾斜された
ことを特徴とする請求項１または２記載の消火用ノズル装置。
【発明の詳細な説明】
【技術分野】
【０００１】
本発明は、複数のノズル筒体を有する消火用ノズル装置に関する。
【背景技術】
【０００２】
散水ヘッドにおいては、ノズルから噴出される水流中に空気を混入させることで、混気ジェット水を安定よく噴射可能としたものがある（例えば、特許文献１参照）。
【特許文献１】特許第４０４５１９１号公報（第３頁、図２）
【発明の開示】
【発明が解決しようとする課題】
【０００３】
このような散水ヘッドを浴室などのシャワーで用いる場合は、低圧水を増勢する節水型ノズルとしての機能が得られるものの、水道水で消火をする際の消火用ノズルとして用いる場合は、十分な増勢が得られず、効果的な消火活動が得られない。
【０００４】
本発明は、このような点に鑑みなされたもので、噴出される水流中に空気を混入させることで十分な増勢が得られるようにした消火用ノズル装置を提供することを目的とする。
【課題を解決するための手段】
【０００５】
請求項１に記載された発明は、水道水の給水を受けるノズル取付基体と、このノズル取付基体の中央部から突設されて水を噴出する中央ノズル筒体と、中央ノズル筒体の周囲においてノズル取付基体から突設されて水を噴出する複数の周囲ノズル筒体とを具備し、中央ノズル筒体および周囲ノズル筒体は、側面に穿設されて外部の空気を内部に吸込む空気吸込孔を備え、中央ノズル筒体および各周囲ノズル筒体には、給水側の孔より大径の噴出孔が先端側に形成され、中央ノズル筒体および各周囲ノズル筒体の各空気吸込孔は、大径の噴出孔のうち、給水側の孔に近接する位置に開口され、中央ノズル筒体および各周囲ノズル筒体の大径の噴出孔は、全長にわたって同径のまま真っ直ぐに外部に開放され、中央ノズル筒体の噴出孔は、周囲ノズル筒体の噴出孔より大口径に形成された消火用ノズル装置である。
【０００６】
請求項２に記載された発明は、請求項１記載の消火用ノズル装置におけるノズル取付基体が、少なくとも中央ノズル筒体側から給水側に向かって拡開状のテーパ穴を備えたものである。
【０００７】
請求項３に記載された発明は、請求項１または２記載の消火用ノズル装置における周囲ノズル筒体が、先端に向かって中央ノズル筒体から離反する方向に傾斜されたものである。
【発明の効果】
【０００８】
請求項１に記載された発明によれば、ノズル取付基体内から中央ノズル筒体内および複数の周囲ノズル筒体内に水道水を供給すると、それらの給水側の孔より大径の噴出孔へと移行する水流が膨張するので、この膨張水流に空気吸込孔から外部の空気が効率よく吸込まれ、多量の気泡を含んで「砕け散り状態」となって、中央ノズル筒体および複数の周囲ノズル筒体から放出される複数条の気液混合水流は、消火に必要な増勢を有している。特に、中央ノズル筒体および複数の周囲ノズル筒体の内部を流れるそれぞれの水流が空気吸込孔から外部の空気を内部に効率よく吸込むので、中央ノズル筒体から噴出された多量の気泡を含み親水性の増した中央の気液混合水流を中心に、複数の周囲ノズル筒体から噴出された多量の気泡を含み親水性の増した複数条の気液混合水流を合わせた合成水流により、消火に必要な増勢を確保でき、効果的な消火活動が得られる。すなわち、水流中に多量の気泡を含むことで、少ない水量でも流速は大きくなり、大幅な節水効果と、放水距離とを得られる。さらに、消火の場合は、無数の微細な気泡を含むことで、水の表面積が大きくなり、その分、高温の消火対象物から気化熱を奪う面積が大きくなるので、消火効果が大きくなる。また、水流中に多量の気泡を含むことで、少ない流量でも流速は速くなり、大きな打力を得ることができる。また、周囲ノズル筒体の噴出孔より大口径に形成された中央ノズル筒体の噴出孔からは、周囲ノズル筒体より多量の気液混合水流を放出できるので、この中央の気液混合水流の先導作用により、消火に必要な増勢を確保でき、効果的な消火活動が得られる。
【０００９】
請求項２に記載された発明によれば、ノズル取付基体は、少なくとも中央ノズル筒体側から給水側に向かって拡開状のテーパ穴を備えたので、このノズル取付基体からテーパ穴を経て少なくとも中央ノズル筒体に効率よく水流を案内できる。
【００１０】
請求項３に記載された発明によれば、周囲ノズル筒体は、先端に向かって中央ノズル筒体から離反する方向に傾斜されたので、消火に必要な放水範囲を確保できる。
【発明を実施するための最良の形態】
【００１１】
以下、本発明を、図１乃至図４に示された一実施の形態を参照しながら詳細に説明する。
【００１２】
図４は、街角に設置された水道水を用いる消火設備10を示し、この消火設備10を用いるときは、ホース格納ボックス11の扉板12を開けて、給水ホース13を取出し、ホース格納ボックス11の背面板14に固定された管継手15を介して給水ホース13の一端継手部を放水ホース16に接続し、給水ホース13の他端継手部17を、住宅内の台所や洗面所などに設置された水道の蛇口18に接続し、この蛇口18を全開にし、さらに、放水ホース16をホース格納ボックス11から引出し、放水ホース16の先端に接続された放水器19を火災発生箇所に向けて、開閉バルブ20を開き、放水を開始する。
【００１３】
図１および図２は、前記放水器19の先端部に螺着された消火用ノズル装置21を示し、給水を受けるノズル取付基体22と、このノズル取付基体22の中央部から突設されて水を噴出する中央ノズル筒体23と、中央ノズル筒体23の周囲においてノズル取付基体22から突設されて水を噴出する複数の周囲ノズル筒体24とを具備している。
【００１４】
図３にも示されるように、中央ノズル筒体23および周囲ノズル筒体24には、ノズル取付基体22側に回動工具と係合可能な６角部25が形成され、これらの６角部25の側面に直径方向に穿設されて外部の空気を内部に吸込む空気吸込孔26を備えたものである。
【００１５】
中央ノズル筒体23の噴出孔27は、周囲ノズル筒体24の噴出孔28より大口径に形成され、これらの噴出孔27，28は、図２に示されるように全長にわたって同径のまま真っ直ぐに外部に開放されている。
【００１６】
ノズル取付基体22の外側面には、１対の回動工具係合面29が形成されている。
【００１７】
図２に示されるように、ノズル取付基体22には、放水器19に接続されるネジ部31が形成され、反対側の面には中央を頂点とする傾斜面32が形成され、中央のネジ穴33に対して、周囲のネジ穴34は、外側へ開く方向に向かって傾斜した状態に形成されている。
【００１８】
中央のネジ穴33には中央ノズル筒体23のネジ部35が螺着され、周囲のネジ穴34には、周囲ノズル筒体24のネジ部36が螺着されている。これにより、周囲ノズル筒体24は、先端に向かって中央ノズル筒体23から離反する方向に傾斜されている。
【００１９】
ノズル取付基体22の中央部には、中央ノズル筒体23側から給水側に向かって拡開状のテーパ穴37が設けられている。
【００２０】
このテーパ穴37に臨む中央ノズル筒体23の給水側の孔38より、先端側の噴出孔27は大径に形成され、同様に、各周囲ノズル筒体24の給水側の孔39より先端側の噴出孔28は大径に形成されている。
【００２１】
そして、中央ノズル筒体23および各周囲ノズル筒体24の各空気吸込孔26は、大径の噴出孔27，28のうち、小径の孔38，39に近接する位置に開口されている。
【００２２】
次に、この実施の形態の作用効果を説明する。
【００２３】
ノズル取付基体22内から中央ノズル筒体23内および複数の周囲ノズル筒体24内に、毎分１２リットル以上の水道水を供給すると、それらの小径の孔38，39より大径の噴出孔27，28へと移行する水流が膨張するので、この膨張水流に空気吸込孔26から外部の空気が効率よく吸込まれ、多量の気泡を含んで「砕け散り状態」となった複数条の気液混合水流が、中央ノズル筒体23および複数の周囲ノズル筒体24から放出される。このような水流は、消火に必要な増勢を有している。
【００２４】
特に、中央ノズル筒体23および複数の周囲ノズル筒体24の内部を流れるそれぞれの水流が空気吸込孔26から外部の空気を内部に効率よく吸込むので、中央ノズル筒体23から噴出された多量の気泡を含み親水性の増した中央の気液混合水流を中心に、複数の周囲ノズル筒体24から噴出された多量の気泡を含み親水性の増した複数条の気液混合水流を合わせた合成水流により、消火に必要な増勢を確保でき、効果的な消火活動が得られる。
【００２５】
すなわち、水流中に多量の気泡を含むことで、少ない水量でも流速は大きくなり、大幅な節水効果と、放水距離とを得られる。
【００２６】
さらに、消火の場合は、無数の微細な気泡を含むことで、水の表面積が大きくなり、その分、高温の消火対象物から気化熱を奪う面積が大きくなるので、消火効果が大きくなる。
【００２７】
また、水流中に多量の気泡を含むことで、少ない流量でも流速は速くなり、大きな打力を得ることができる。
【００２８】
周囲ノズル筒体24より大口径に形成された中央ノズル筒体23からは、周囲ノズル筒体24より多量の気液混合水流を放出できるので、この中央の気液混合水流の先導作用により、消火に必要な増勢を確保でき、効果的な消火活動が得られる。
【００２９】
ノズル取付基体22は、少なくとも中央ノズル筒体23側から給水側に向かって拡開状のテーパ穴37を備えたので、このノズル取付基体22からテーパ穴37を経て少なくとも中央ノズル筒体23に効率よく水流を案内できる。
【００３０】
周囲ノズル筒体24は、先端に向かって中央ノズル筒体23から離反する方向に傾斜されたので、消火に必要な放水範囲を確保できる。
【００３１】
本発明は、消火に用いる消火用ノズル装置に利用可能である。
【図面の簡単な説明】
【００３２】
【図１】本発明に係る消火用ノズル装置の一実施の形態を示す斜視図である。
【図２】同上ノズル装置の断面図である。
【図３】同上ノズル装置の中央ノズル筒体の一部を破断した断面図である。
【図４】同上ノズル装置の応用例を示す説明図である。
【符号の説明】
【００３３】
21    消火用ノズル装置
22    ノズル取付基体
23    中央ノズル筒体
24    周囲ノズル筒体
26    空気吸込孔
27，28 噴出孔
37    テーパ穴
【要約】
【課題】噴出される水流中に空気を混入させることで十分な増勢が得られるようにした放水用ノズル装置を提供する。
【解決手段】給水を受けるノズル取付基体22の中央部から、水を噴出する中央ノズル筒体23を突設し、中央ノズル筒体23の周囲においてノズル取付基体22から、水を噴出する複数の周囲ノズル筒体24を突設する。中央ノズル筒体23および周囲ノズル筒体24の側面に、外部の空気を内部に吸込む空気吸込孔26を直径方向に穿設する。
【選択図】図１【図１】
0004361590.tif 000002
【図２】
0004361590.tif 000003
【図３】
0004361590.tif 000004
【図４】
0004361590.tif 000005